(57)【要約】      （修正有）【課題】ＦＭ放送信号の中継点に設置されるのに最適で光通信網に接続され、光電話の使用、アナログ信号の送受信、デジタル信号の送受信が可能で、パラレル信号及びシリアル信号のインタフェース機能を備え、各種の機器が接続できる装置を提供する。【解決手段】光通信網に接続されている通信機器との間の通信を制御する光通信制御部４０と、処理するデータをシリアルデータとして送受信するシリアル通信機器を接続するためのシリアル通信制御部５０と、音響データを送受信する音響機器を接続するための音響処理・Ｉ／Ｏ部（音声コーデック）２０と、前記光通信網を介して光電話を利用するための光電話接続制御手段と、デジタル機器で処理可能なデジタルデータを対応するアナログデータに変換するデジタル−アナログ変換手段と、アナログ機器で処理可能なアナログデータを対応するデジタルデータに変換するアナログーデジタル変換手段と、装置の動作を指示するテンキーユニット３５と、表示部６０とを備える。【選択図】図２
0003205151.tif 000002
【実用新案登録請求の範囲】
【請求項１】
光通信網に接続されている通信機器との間の通信を制御する光通信制御手段と、
処理するデータをシリアルデータとして送受信するシリアル通信機器を接続するためのシリアル通信インタフェースと、
音響データを送受信する音響機器を接続するための音響機器インタフェースと、
前記光通信網を介して光電話を利用するための光電話接続制御手段と、
デジタル機器で処理可能なデジタルデータを対応するアナログデータに変換するデジタル−アナログ変換手段と、
アナログ機器で処理可能なアナログデータを対応するデジタルデータに変換するアナログ−デジタル変換手段と、
装置の動作を指示するための指示入力可能な指示入力手段と、
装置の状態を視認可能に表示する表示手段とを備えることを特徴とする光通信コーデック装置。
【請求項２】
前記シリアル通信インタフェースは、ＧＰＩＯ仕様のシリアルインタフェースあるいはＲＳ２３２Ｃ仕様のシリアル通信に対応していることを特徴とする請求項１記載の光通信コーデック装置。
【請求項３】
前記指示入力手段はキーボードユニットであり、表示手段は受信状態を表示可能な液晶表示画面を含むことを特徴とする請求項１又は請求項２記載の光通信コーデック装置。
【請求項４】
前記光通信制御手段が受信する前記デジタル機器で処理可能なデジタルデータにはデジタルＩＱ信号化されたＦＭ放送波データをさらにＩＰ信号に変換されたデジタル信号が含まれることを特徴とする請求項１乃至請求項３のいずれかに記載の光通信コーデック装置。
【考案の詳細な説明】
【技術分野】
【０００１】
本考案は光通信網を利用した光通信コーデック装置に関し、例えばＦＭ放送波の中継地点に適用可能な光通信コーデック装置に関するものである。
【背景技術】
【０００２】
近年の無線通信技術の発達と、それに伴う無線機器の急速な普及により、ラジオやテレビ放送、携帯電話等を含む無線通信を全国的な規模で広範囲に行う必要が生じた。特に、携帯電話の普及は著しく、平常時においてはあらゆる情報を容易に獲得することが出来る手段としてもっとも一般的なものとなった。
【０００３】
しかしながら、東日本大震災の際には、携帯電話のみならず、固定電話であってもほとんど通話することが出来ない状態となった。また、広い範囲で停電状態となることが予想され、このような場合にはテレビジョン放送も受信できないことが予想されている。
【０００４】
このため、災害時にもっとも確実に情報を収集できるのはラジオ放送と予想されており、全国のあらゆる地域で放送を受信できるようにする取り組みも行われている。例えば島民が居住している場合には放送拠点を設けることとしている。
【０００５】
ＦＭ放送であれば放送拠点で一定レベルのＦＭ電波を受信して、受信したＦＭ電波を放送に必要な出力となるように増幅して放送電波として放射していた。このため、基地局から送信されるＦＭ電波を受信し、増幅して次の中継点に送信するための一定距離ごとに接地された中継拠点を設けている。
【０００６】
また、光通信を利点に着目して無線システムの一部に光伝送技術を組み込んだ光通信システムが提案されていた（特許文献１）。
【先行技術文献】
【特許文献】
【０００７】
【特許文献１】特開２０１４−１７６０８号公報
【考案の概要】
【考案が解決しようとする課題】
【０００８】
しかし、このような従来の方式での中継では、気象状況などの影響を受けるため、天候の悪化などの影響を受けて放送品質にバラツキが発生することが防げなかった。放送品質が劣化した場合にはその原因を調べ、機器の不具合などが原因の場合には早急に状況を改善する必要がある。顧客よりの問い合わせがあっても原因を究明してからでないと迂闊には返事が出来なかった。
【０００９】
さらに、ＦＭ放送信号の中継地点は住宅街より離れた場所であることが多く、山中であったり、離島であったりする等携帯電話の使えない地区であることも多く、原因を究明してもすぐに連絡できない場合も少なくない。
【００１０】
従来はこのような場合には近くに設置されている固定式電話機を探して使用しなければならなかった。原因について問い合わせが必要な場合などでは、さらに多くの時間と手間が必要であった。
【００１１】
また、特許文献１に記載の考案は、光部品の線形性にとらわれず、インターネット・プロトコル（ＩＰ）若しくは波長による多重化、または既存のＩＰ網への多重化を容易にすることを主眼としており、多重化を可能とするために、光信号に重畳されるデジタル信号の帯域を大幅に圧縮するのみであった。
【００１２】
本考案は、上記した課題を解決するためになされたもので、このような近況に鑑みＦＭ放送信号の中継点に設置されるのに最適で光通信網に接続され、光電話の使用が出来るとともに、アナログ信号の送受信、デジタル信号の送受信が可能で、パラレル信号のインタフェース及びシリアル信号のインタフェース機能を備え、各種の機器が接続でき、接続されているアナログ機器、デジタル機器情報の送受信を可能とするとともに、例えば、ＦＭ放送信号の中継をも可能とすることを目的としている。
【課題を解決するための手段】
【００１３】
本考案は、近時、コンピュータ技術の発達によりデジタルネットワーク網が発達してきており、近時では、デジタルデータの通信のみならず大容量の画像データの送受信も行われてきており、それに伴って大容量の通信容量を確保するために光通信ケーブルを利用した光通信が普及してきている。係る点に鑑み、この光通信網を有効に活用して、光電話の使用を可能とし、かつアナログ機器、デジタル機器、シリアル通信仕様のインタフェース規格の各種機器をそれぞれ接続することができる。
【００１４】
上記目的を達成するため、例えば以下の構成を備える。即ち、光通信網に接続されている通信機器との間の通信を制御する光通信制御手段と、処理するデータをシリアルデータとして送受信するシリアル通信機器を接続するためのシリアル通信インタフェースと、音響データを送受信する音響機器を接続するための音響機器インタフェースと、前記光通信網を介して光電話を利用するための光電話接続制御手段と、デジタル機器で処理可能なデジタルデータを対応するアナログデータに変換するデジタル−アナログ変換手段と、アナログ機器で処理可能なアナログデータを対応するデジタルデータに変換するアナログーデジタル変換手段と、装置の動作を指示するための指示入力可能な指示入力手段と、装置の状態を視認可能に表示する表示手段とを備え、接続される機器の限定がないことを特徴とする光通信コーデック装置とする。
【００１５】
そして例えば、前記シリアル通信インタフェースは、ＧＰＩＯ仕様のシリアルインタフェースあるいはＲＳ２３２Ｃ仕様のシリアル通信に対応していることを特徴とする、
また例えば、前記指示入力手段はキーボードユニットであり、表示手段は受信状態を表示可能な液晶表示画面を含むことを特徴とする。
【００１６】
さらに例えば、前記光通信制御手段が受信する前記デジタル機器で処理可能なデジタルデータにはデジタルＩＱ信号化されたＦＭ放送波データをさらにＩＰ信号に変換されたデジタル信号が含まれることを特徴とする。
【考案の効果】
【００１７】
本考案によれば、光通信網に接続され、ＦＭ放送波の中継地点にセットするのに最適な光通信コーデック装置を提供できる。
【図面の簡単な説明】
【００１８】
【図１】本考案に係る第１の実施の形態例の光通信コーデック装置を説明するためのブロック図である。
【図２】第１の実施の形態例の光通信コーデック装置の外観図である。
【図３】第１の実施の形態例の光通信コーデック装置の動作を示すフローチャートである。
【考案を実施するための形態】
【００１９】
以下、本考案を実施するための最良の形態を図面も参照して詳細に説明する。
＜第１の実施の形態例＞
本実施の形態例の光通信コーデック装置は、デジタルデータを処理することが出来、デジタル機器を直接接続してデジタルデータを入出力することが可能であるとともに、デジタル−アナログコンバータ及びアナログ−デジタルコンバータが備えられており、アナログデータを処理するアナログ機器を直接接続してアナログデータも直接入出力することが可能である。
【００２０】
さらに、光電話機を接続することも可能であり、光電話機を固定電話機として所望の相手先を呼び出して通話も可能に構成されている。このように、音声情報や画像情報などのアナログ信号を取り込んでデジタルデータに変換してデジタル通信するとともに、光通信網より受信したデジタルデータをアナログ信号に変換して出力する機能を備えており、アナログ信号として入出力可能なインタフェース仕様にも特徴を有している。
【００２１】
以上の機能を備える本実施の形態例装置の外観を図１を参照して以下に説明する。図１に示す外観図の上部に示すように、装置の前面パネルはＥＩＡ仕様のラックでも、ＪＩＳ仕様のラックでも装着できる構造（パネル両端参照）となっている。そして、図１上部の表面パネルには、例えば、打ち合わ時に用いると便利な電話機を接続するための光電話用端子（ＲＪ１１）、装置や回線網の状態などを表示可能な表示部、他の電話機の電話番号を入力したり、接続される他装置のＩＰアドレスなどを指示入力可能なテンキーユニットが設けられている。音声モニター用ヘッドファン端子も備えられている。
【００２２】
下段に示す背面には、種々のコネクタ端子が設けられており、各種のＩ／Ｏ機器が接続可能に構成されている。本実施の形態例装置に備えられているインタフェースコネクタは主に裏面に配置されており、２重化されたＡＣ電源（商標電源）入力端子、接続されるＩ／Ｏ機器がシリアル通信仕様(ＲＳ２３２Ｃ仕様)である場合に接続されるＲＳ２３２Ｃ端子、画像情報や動画情報も送受信できる拡張バス仕様のＧＰ  Ｉ／Ｏ端子、光通信網に接続されている光通信ケーブルが装着されるＭ＆Ｃ／光電話端子が備えられている。
【００２３】
また、同軸ケーブル端子、デジタル信号入出力用端子（ＤＶＣ）、インカム端子、アナログ音声入出力端子（キャノン端子）を備え、各種インタフェース機器を接続可能に構成されている。このように、アナログＬ/Ｒの２チャンネル、デジタルのＡＥＳ／ＥＢＵ  ＩＮＣＯＭを送受信できる。
【００２４】
以上の外観を有する本実施の形態例装置の備える機能を図２を参照して以下に説明する。図２において、１０は本装置の全体制御を司る全体制御部、２０は音響処理・Ｉ／Ｏ部（音声コーデック）であり、主に音響領域の信号の分離・混合（例えば２０Ｈｚ〜２３ＫＨｚ）の信号情報の復号・変調等を行う。また、電話機端子２１に接続される光電話機との間の電話帯域の音声情報の授受、音声入力端子２３より入力される他からの音声信号の入力、音声出力端子２２への音響出力などを行っている。そして、ＮＴＴ社の提供している音声圧縮機能を備えており、送受信する情報量を小さくして通信料金を低く抑えることができる構成と成っている。そのほか入力された音響（音声）信号を相手先へ送信するための他の信号との混合処理も行っている。さらに、音響処理のモニタなどのためのヘッドホン端子２４も備えられている。
【００２５】
３０は呼制御部であり、装置の前面パネルに設けられているテンキーユニット３５より指定された指示信号を受信して指定された相手先電話機を発呼して通話路を形成する発呼処理のほか、光通信制御部４０を介して送られてくる光電話用端子４１の状況を監視し、被呼があればこれを検知して発呼先電話機との間の通話路を形成する被呼処理を行う。
【００２６】
テンキーユニット３５は、例えば３列４段の１２のキーから構成し、最上段左から「１」、「２」、「３」の数字キー、２段目が「４」、「５」、「６」のキー、３段目が「７」、「８」、「９」のキー、４段目が「＊」、「０」、「＃」のキーという構成とする。詳細は不図示であるが、携帯電話機のキーボードと同様の構成とすれば、「１」のキーはあ行のかな文字を「２」のキーは英文字Ａ，Ｂ，Ｃの入力、及びかな文字のか行といったように少ないキー数で英文や日本文の入力も可能となる。あるいはタッチパネル形式のキー０ボードで形成してもよい。
【００２７】
４０は光通信制御部であり、光通信ケーブルが装着可能であり、呼制御部３０の制御下で光電話用通信端子４１を介して相手先光電話との通話制御を行う。また、光通信用端子４２を介して光通信網に接続されている所望相手先機器との間でデジタル通信を行う。
光通信網は、例えばインターネット網でデータの授受をＩＰ（インターネットプロトコル）に従って行う構成が考えられる。。
【００２８】
本実施の形態例装置では、光通信制御部４０に接続されている光通信用端子４２を介して光通信網に接続されている通信機器に接続でき、光電話用端子４１を光通信網（光通信ケーブル）に接続して光電話用の制御装置として動作させ、一般に広く普及している光電話での通話を可能としているなど、接続した光通信網を最大限利用することができる様に構成されている。
【００２９】
５０はシリアル通信制御部であり、ＲＣ２３２Ｃ端子５２を備え、ＲＳ２３２Ｃ仕様のＩ／Ｏ機器を接続することができる構成と成っている。さらに、汎用入出力端子であるＧＰＩＯ（General Purpose Input/Output）端子５１を備えることで、シリアル通信仕様のほとんどの機器が接続可能となっている。特に、ＧＰＩＯ端子５１はデジタルコネクタ（ＤＶＩ）仕様でありこの端子によってＦＭ放送波伝送時に運行画面の伝送ができる。
【００３０】
６０は液晶パネルを備える表示部であり、装置の各種の状態を表示することが出来る。７０は画像処理Ｉ／Ｆ部（画像コーデック）であり、光通信制御部４０で送受信する画像情報や映像情報に対する画像圧縮処理などの処理を行う。そのほかに、表示部６０の表示画面への表示制御も行う。
音響情報（音声データ）、画像、動画などの伝送には、例えばＮＴＴ社のデータコネクトサービスを使用しても良い。
【００３１】
８０は二重化電源部であり商用のＡＣ１００ボルトの交流電源を装置で必要とするＤＣ電源に変換して各構成に供給している。本装置の二重化電源部８０には、バックアップ用のバッテリが備えられており、商用電源供給停止後一定時間は装置が駆動し続けられるように構成されている。
【００３２】
以上の構成を備える本実施の形態例装置における光通信網に接続されている他の電話機との通話路形成制御を説明する。
所望の相手先電話機の呼び出しは、テンキーユニット３５から相手先電話番号を指示入力し、例えば「＃」キーを押して相手先の呼び出しを指示する。呼制御部３０は、回線に電話番号信号を送出して相手先電話機を呼び出す発呼処理を行う。相手先電話機が応答すると電話機端子２１に接続された電話機との間に通話路を形成する。そしていずれかの電話機がオンフックされるまで通話路を維持する。
【００３３】
または相手先よりの被呼を検出すると、電話機端子２１に接続されている電話機より被呼報知を行い、電話機がオフフックされると発呼先電話機と接続電話機との通話路を形成する。そしていずれかの電話機がオンフックされるまで通話路を維持する。
【００３４】
次に装置の光通信制御を図３のフローチャートも参照して説明する。接続先の指定は、手動の場合にはテンキーユニット３５からの指示入力により行うことが可能である。自動で行う場合には例えばデータファイルの付属ファイルにより指定をすることも可能である。
【００３５】
光通信機能を立ち上げる場合には装置の電源を投入する。なお、上記光通信を可能とし電源は常時投入していてもよい。
電源が投入されると図３のステップＳ１の処理に移行し、全体制御部１０は各構成の動作状況、各端子への機器の接続状態を確認し、いずれかの構成の動作が正常でない場合（異常接続あるいは異常動作が検出された場合）にはステップＳ１よりステップＳ２に進み、アラーム出力処理を行う。ここでは例えば、表示部６０の表示をアラーム表示モードに制御する。同時にアラーム音を鳴らしても良い。そしてステップＳ１に戻る。このため、装置が異常の場合には異常状体が解消されるまでアラーム出力状態が維持される。
【００３６】
この装置異常には、光ケーブルや光電話接続端子等の必要なインタフェースケーブルの未装着、接続されているケーブルから必要な信号レベルが検出されない場合、必要な電源供給がなされてない場合、接続Ｉ／Ｏの動作確認が出来ない場合などが該当する。この異常の検出は、装置の稼働状態に応じて適宜設定できる。
【００３７】
一方、ステップＳ１で装置異常や端子接続異常が検出されない場合にはステップＳ４に進み、動作指示が検知されたか否か判断する。動作指示には、テンキーユニット３５からのキー入力（動作指示）が検出される場合と、光通信制御部からの相手先装置からの通信要求を検出した場合、各端子接続機器からの通信要求を検出した場合等がある。
【００３８】
例えば、所望の相手先の電話番号をキー入力した場合や、通信相手先アドレスをキー入力した場合や、ＩＰアドレスを入力された場合などがある。
このような相手先指示入力が行われるとステップＳ４よりステップＳ６に進み、接続が指示された通信相手先との通信路を形成する。相手が光電話機であれば相手との通話路を形成する発呼処理を実行する。
【００３９】
具体的には、テンキーユニット３５から指定された電話番号に対する電話機との呼を形成をする発呼処理をし、相手が光通信機器である場合には相手先との通信路を形成して接続状態を維持する。具体的には、テンキーユニット３５からあるいは送信を指示された送信ファイルで指定されたＩＰアドレスの機器との間の通信路を形成、維持する。
【００４０】
そしてステップＳ８において、通信路を形成した相手通信機器に対して本実施の形態例装置、あるいは装置に接続されている機器からの送信を希望している場合には、送信するべき音声・映像情報を相手装置に送信する。この処理は主に呼制御部３０、光通信制御部４０、音響処理・Ｉ／Ｏ部２０、画像処理Ｉ／Ｆ部７０などで行われ、通信路を形成した相手との音声信号の送信あるいは画像情報（映像情報））の送信処理を行い、例えば、通信状況を表示部６０に状況を表示する。
【００４１】
続いてステップＳ１０において、シリアル通信を所望する接続機器あるいは相手先機器からのシリアル通信要求がある場合には、要求に応じてシリアル通信を行い、例えば通信状況を表示部６０に状況を表示する。この処理は主にシリアル通信制御部５０に接続されたシリアル通信機器と、所望の相手先通信機器との間で行われる。
そしてステップＳ１２の判定処理に移行し、相手装置から送られてきた受信データがあるか否かを調べる。受信データがない場合にはステップＳ１８に進む。
【００４２】
一方、ステップＳ１２において受信データがある場合にはステップＳ１４に進み、通信路を形成した相手通信機器に対して本実施の形態例装置、あるいは装置に接続されている機器に対する受信情報がある場合には宛先装置などに受信した音声・映像情報を出力する。この処理は主に光通信制御部４０、音響処理・Ｉ／Ｏ部２０、画像処理Ｉ／Ｆ部７０などで行われ、通信路を形成した相手からの音声信号の受信あるいは画像情報（映像情報））の受信処理を行い、例えば、通信状況を表示部６０に状況を表示する。
【００４３】
続いてステップＳ１６において、接続されたシリアル通信機器に対する相手先機器からの受信情報がある場合には、受信情報のシリアル通信接続機器の出力する。この処理は主にシリアル通信制御部５０を介して行われる。
【００４４】
そしてステップＳ１８の判定処理に移行し、回線断要求が成されたか否か調べ、回線断要求がなければ通信状体を維持してステップＳ８の処理に移行する。中央制御部１０はステップＳ１８で回線断指示を検出するとステップＳ２０に進み、呼制御部３０，光通信制御部４０、シリアル通信制御部５０等からの回線維持要求がなければ回線断指示を行い、ステップＳ２０で回線接続を解放する。
【００４５】
一方、回線断指示が検出されない場合にはステップＳ８に戻り、相手との通信状体を維持する。
本実施の形態例装置の音響処理・Ｉ／Ｏ部２０及び光通信制御部４０、画像処理Ｉ／Ｆ部７０には、デジタル・アナログコンバータ（ＤＡＣ：Digital/Analog converter）が含まれており、音声や映像などのアナログ信号を取り込んでデジタルデータに変換、又はデータをアナログ信号に変換して出力可能である。
【００４６】
また、本実施の形態例装置を用いることにより、光通信網を介して７６ＭＨｚ〜９０ＭＨｚのＦＭ放送信号の中継装置として動作可能であり、本装置を用いることにより、周囲環境にほとんど影響を受けることなく、光通信ケーブルを利用してＦＭ放送信号を中継することが可能である。しかも、同時に光電話機を用いて連絡をすることができ、中継状況を説明、確認することが出来、放送が順調に行われないような場合にもその原因を素早く認識でき、顧客などからの問い合わせにも速やかに答えることが出来る。
【００４７】
中継方法としては、例えばアナログ周波数変換方式を用いて基地局からのＦＭ放送信号をアナログ信号としてそのまま受信して必要な増幅を行って次の中継点に送信するようにしても良い。
あるいは、受信したアナログ信号を一旦デジタルＩＱ信号に変換すると共にＩＱ信号波ＩＰ信号に変換して光ＩＰ通信網との親和性を高めても良い。
【００４８】
従前の設備を備えた従来ながらの中継地点に以上の構成を備える光通信コーデック装置を設置することで、本装置からは劣化の少ないＦＭ 放送波がＩＰ（インターネットプロトコル）通信網から送られてくるため、地上波との同期がとれやすくなり、地上波でのマルチパスの発生状況などが容易に把握でき、地上波中継の状況が容易に把握できるため、ユーザからの問い合わせがあっても容易にかつ迅速に対応できる。
【符号の説明】
【００４９】
１０      全体制御部
２０      音響処理・Ｉ／Ｏ部（音声コーデック）
５１      ＧＰＩＯ（General Purpose Input/Output）端子
５２      ＲＣ２３２Ｃ端子
３０      呼制御部
３５      テンキーユニット
４０      光通信制御部
４１      光電話用端子
５０      シリアル通信制御部
６０      表示部
７０      画像処理Ｉ／Ｆ部（画像コーデック）
８０      二重化電源部
【図２】
0003205151.tif 000003
【図３】
0003205151.tif 000004
【図１】
0003205151.tif 000005